(57)【要約】【課題】両手を使用して髪を手櫛して短時間で乾燥できるヘアドライヤーを提供する。【解決手段】ハンドル部に吸盤を設け、鏡に着脱自在に取り付け可能にする。【選択図】 図１
2008043536.tif 000002
【特許請求の範囲】
【請求項１】
ハンドル部に吸盤を設け、鏡に着脱自在に取り付け可能なヘアドライヤー  
【請求項２】
本体ケースとハンドル部の連結部に枠体を取り付け、前記枠体を介してハンドル部に吸盤を設けたことを特徴とする請求項１記載のヘアドライヤー  
【請求項３】
吸盤はハンドル部に基板を介して設け、ハンドル部と基板をバンドで結束且締着したことを特徴とする請求項１記載のヘアドライヤー  
【請求項４】
吸盤を設けた枠体に、ハンドル部を着脱自在に装着可能としたヘアドライヤー用支持具
【請求項５】
枠体が、一部分を縦方向に切り欠いて空間部を形成したことを特徴とする請求項４記載のヘアドライヤー用支持具
【請求項６】
枠体の断面が円形形状である請求項４又は５項記載いずれか一項記載のヘアドライヤー用支持具
【発明の詳細な説明】
【技術分野】
【０００１】
本発明は、両手を使つて髪を乾燥することができるよう鏡に取り付け可能なヘアドライヤーに関する。また、ヘアドライヤーを装着して使用し、同じく両手を使つて髪を乾燥することができるよう鏡に取り付け可能なヘアドライヤー用支持具に関するものである。
【背景技術】
【０００２】
近時、清潔志向が広がり、朝から毛髪をシヤンプーする、所謂朝シヤンをする若者が増えている。ところが、出勤や登校までの短い時間でシヤンプー、整髪、食事をしなければならず、時間がかかる髪の乾燥は、例えば気温の高い間は扇風機を利用し、強風を送り、両手で手櫛をして髪を掻き分けながら髪の根元などの風の届きにくい部分も短時間で乾燥させることができる。しかし気温が低い時期に冷風で頭部を冷やすと風邪の原因となるため、時間がかかつてもヘアドライヤーで温風を送り、片手で手櫛をして髪を乾燥している。ヘアドライヤーには、こうした両手で髪を掻き分けながら短時間で髪を乾燥できるようにしたものとして、置き台に載置し、ハンドフリーで使用できる専用置き台付ヘアドライヤーが知られていなる。（例えば、非特許文献１参照）
【０００３】
以下、図７により従来のヘアドライヤーについて説明する。図において、２１は置き台で上部を凹状部を形成した円錐台形状で、前記凹状部にヘアドライヤーの吸込口の一部を嵌合してヘアドライヤー１を傾斜して載置し、温風が吹出し口３から斜め上方に吹出すようにしている。
【０００４】
【非特許文献１】松下電器産業株式会社リーフレツト２００６年６月発行
【発明の開示】
【発明が解決しようとする課題】
【０００５】
清潔志向は、これからも高まる傾向にあり、特に汗臭い毛髪や寝癖のついた毛髪は気になるもので、朝シヤンをする人は増加する一方なので、忙しい朝の時間帯、少しでも短時間で且温風で毛髪を乾燥できるようにし、しかも毛髪の状態を見ながら乾燥できるものが要望されている。従来知られている専用置き台付ヘアドライヤーは、両手且短時間で毛髪を乾燥させることはできるが、頭部を下げて乾燥させるため鏡で毛髪を見ながら行うことはできなかつた。
【０００６】
本発明は、このような事情に鑑みてなされたもので、その目的とするところは、鏡を見ながら、両手で髪を手櫛して髪の根元などの温風が届きにくい部分へも速やかに温風を送り、短時間で毛髪全体を乾燥させることができるヘアドライヤーを提供することにある。
【課題を解決するための手段】
【０００７】
上記課題を解決するために請求項１に記載のヘアドライヤーは、ハンドル部に吸盤を設け、鏡に着脱自在に取り付け可能としたものである。
【０００８】
請求項２のものは、請求項１記載のヘアドライヤーにおいて、本体とハンドル部の連結部に枠体を取り付け、前記枠体を介して吸盤を設けたものである。
【０００９】
請求項３のものは、請求項１記載のヘアドライヤーにおいて、吸盤はハンドル部に基板を介して設け、ハンドル部と基板をバンドで結束且締着したことにある。
【００１０】
次に、請求項４のものは、吸盤を設けた枠体にハンドル部が着脱自在に装着可能にしたものである。
【００１１】
請求項５のものは、請求項４記載のヘアドライヤーにおいて、枠体が一部を縦方向に切り欠いて空間部を形成したものである。
【００１２】
請求項６のものは、請求項４又は５記載のヘアドライヤーのおいて、枠体の断面が円形形状を形成したものである。  
【００１３】
上記解決手段による作用は次ぎの通りである。請求項１及び２記載のものは、使用する者の頭髪の位置に合わせて鏡面の適宜の場所に吸盤の吸着部を吸着させて取り付ける。この場合、吹出し口から吹出す温風は、頭部の斜め上方から吹出すようにすると鏡を見ながら毛髪を乾燥させることができる。また片手でヘアドライヤーを保持して整髪する場合は、吸着を解いて取り外して使用することができる。
【００１４】
請求項３記載のものは、基板に設けた吸盤の吸着部を鏡面に吸着して取り付け、基板とハンドル部をバンドで締着しているので、取り外す場合は、バンドの締着を外してヘアドライヤーを分離できる。またバンドの使用により、ハンドル部の形状が大小多様なものでも取り付けることが可能になつている。
【００１５】
請求項４記載のものは、枠体の内側にハンドル部を装着し、枠体でヘアドライヤーを支持して使用することができる。ヘアドライヤーを鏡面から外して使用する場合は、枠体からハンドル部とコードを抜くか、吸盤の吸着を外して使用する。
【００１６】
請求項５及び６記載のものは、枠体の一部を切り欠いて形成した空間部からヘアドライヤーのコードを通し、枠体の上方からハンドル部を挿入して装着する。常時、枠体を鏡面に取り付けた状態にしておけば、ヘアドライヤーの着脱は、コードを空間部から着脱できるようにしたため、一動作、短時間で容易に行うことができる。
【発明の効果】
【００１７】
上述したように本発明のヘアドライヤーは、鏡に取り付けることにより、鏡を見ながら空いた両手で髪を手櫛して、温風を毛髪の根元隅々まで送ることができるので、短時間で乾燥させることが可能になると同時に、癖毛等髪の状態を逐一チエツクしながら乾燥できる。本発明に係るヘアドライヤー用支持具にヘアドライヤーを装着して使用する場合の効果も、同様である。さらに両手を使用できるので短時間で整髪できるという効果を発揮するものである。
【発明を実施するための最良の形態】
【００１８】
以下、本発明の実施の形態を図１〜図６に基づいて説明する。
【００１９】
図１においては、１はヘアドライヤーで、本体ケース２の前側を吹出し口３、後側は吸込み口４を形成し、本体ケース２とハンドル部５は回動自在にビスネジ６で連結している。ハンドル部５の後部側の上下適宜の位置に貫通孔７を穿設し吸盤８の頭部９を嵌着している。吸盤８を鏡１０の表面に吸着させて所望する位置に取り付けることができる。
【００２０】
図２においては、１１は枠体でコ字形状を形成し、両側面に取付孔１２を穿設し、ビスネジ６で本体ケース２とハンドル部５の連結部に取り付けている。後部側面には貫通孔１３を穿設し、吸盤８の頭部９を嵌着している。
【００２１】
図３においては、１４は長方形板状の基板で上下の適宜の位置に取付孔１５を穿設し吸盤８の頭部９を嵌着している。１６はバンドでフツクとループの機能を備えた面ファスナーで自由自在に締着することができ、基板１４はハンドル部５に捲着且締着している。      
【００２２】
図４においては、１７は枠体で中空な四角形状を形成し、後部側面に穿設した貫通孔１３に吸盤８の頭部９を嵌着している。枠体１７の上方から枠体１７の内側にコード１９とハンドル部５を通して装着し、鏡１０にヘアドライヤー１を取り付けている。
【００２３】
図５においては、枠体１７の前方側面を縦方向に切り欠いて空間部１８としている。ヘアドライヤーを装着する場合は、コード１９を空間部１８を通し枠体１７の内部に入れ、枠体１７上方から枠体１７内部へハンドル部５を挿通して装着する。
【００２４】
図６においては、枠体１７は断面円形形状の丸棒で形成している。枠体１７の前方側は空間部１８を形成しコード１９を通すようにしている。後方側は、適宜の間隔で配設したニ個の吸盤８頭部９に形成した挿通孔２０に枠体１７を挿通して回動自在に取り付けている。また枠体１７に吸盤８を取り付ける部分は、ハンドル部５を装着する部分より幅広に形成している。
【図面の簡単な説明】
【００２５】
【図１】本発明の実施の形態１を示す部分断面図を含む側面図
【図２】本発明の実施の形態２を示す部分断面図を含む側面図とイ−イ間Ａ−Ａ矢視図
【図３】本発明の実施の形態３を示す部分断面図を含む側面図
【図４】本発明の実施の形態４を示す側面図
【図５】本発明の実施の形態５を示す側面図とＢ−Ｂ矢視図
【図６】本発明の実施の形態６を示す側面図とＣ−Ｃ矢視図
【図７】従来のヘアドライヤーを示す参考図
【符号の説明】
【００２６】
１  ヘアドライヤー        ９  頭部            １６  バンド
２  本体ケース          １０  鏡              １７  枠体
５  ハンドル部          １１  枠体            １８  空間部
８  吸盤                １４  基板
【図１】
2008043536.tif 000003
【図２】
2008043536.tif 000004
【図３】
2008043536.tif 000005
【図４】
2008043536.tif 000006
【図５】
2008043536.tif 000007
【図６】
2008043536.tif 000008
【図７】
2008043536.tif 000009